【手続補正書】
【提出日】平成25年3月18日(2013.3.18)
【手続補正１】
【補正対象書類名】特許請求の範囲
【補正対象項目名】全文
【補正方法】変更
【補正の内容】
【特許請求の範囲】
【請求項１】
特許実施権(licenses)を管理する方法であって、
取得可能(available for procurement)な複数の特許実施権を表す信号を、第１の記憶場所に記憶するステップと、
前記実施権のうちの取得する(procurement)少なくとも１つの実施権を指定(designating)したユーザからの信号を、ネットワークインタフェースを介して受け取るステップと、
前記指定された少なくとも１つの実施権を前記ユーザが取得する取得取引(procurement transaction)を、プロセッサを使用して処理するステップと、
前記ユーザの識別に関する(pertinent)情報と前記取得された(procured)実施権(license)に関する情報とを含む前記取得取引に関係する情報を表す信号を、第２の記憶場所に記憶するステップと
を含む方法。
【請求項２】
特許実施権(patent licensing)を取得することができる(available)実施許諾可能(licensable)なそれぞれの特許を指示する情報を、第３の記憶場所に記憶するステップと、
前記実施許諾可能な特許のうちの１つまたは複数の特許のリストを取り出す(retrieve)ことを要求するリクエストを含む信号を、ネットワークインタフェースを介してユーザから受け取るステップと、
プロセッサを使用して、前記リクエストの中に指定された実施許諾可能な特許の前記リストを前記第３の記憶場所から取り出し、取り出した前記リストを指示する(indicating)信号をフォーマットする(formatting)ステップと、
フォーマットされた前記信号を、ネットワークインタフェースを介して前記ユーザへ送信するステップと
をさらに含む、請求項１に記載の方法。
【請求項３】
特定の製品(products)に対する前記実施許諾可能な特許(licensable patents)の実施を許諾する(licensing)所定のそれぞれの実施権を指示する情報を、第３の記憶場所に記憶するステップと、
検索したい特定の製品または特定の製品カテゴリを指定した問合せ(query)を含む信号を、ネットワークインタフェースを介してユーザから受け取るステップと、
プロセッサを使用して、前記問合せの中に指定された前記製品または前記製品カテゴリに対する取得可能な所定のそれぞれの実施権を、前記第３の記憶場所から取り出し、取り出した１つまたは複数の前記実施権を指示する信号をフォーマットするステップと、
フォーマットされた前記信号を、ネットワークインタフェースを介して前記ユーザへ送信するステップと
をさらに含む、請求項１に記載の方法。
【請求項４】
取得された実施権に対する支払いに関する情報を、第３の記憶場所に記憶するステップと、
実施料を少なくとも１人の当事者に分配するときに、プロセッサを使用して、前記取得された(procured)実施権に対する支払いに関する情報のうちの少なくとも一部である特定の特許に対する情報を、前記第３の記憶場所から取り出す(retrieve)ステップと、
前記少なくとも１人の当事者のうちの特定の１人の当事者に分配する実施料を、プロセッサ内で計算するステップと
をさらに含む、請求項１に記載の方法。
【請求項５】
訴訟に参加した特許権者によって所有されているある特許に関係する当事者に、実施料の一部が最初に分配されることになっている場合に、前記ある特許に関して分配される実施料だけを計算し、他の特許に関して分配される実施料は計算しない、請求項４に記載の方法。
【請求項６】
前記特定の少なくとも１人の当事者に対する実施料計算書(royalty statement)を、プロセッサ内で準備するステップと、
前記計算に基づく実施料支払いを、ネットワークインタフェースを介して送金するステップと
をさらに含む、請求項４に記載の方法。
【請求項７】
前記当事者(party)が、前記特定の特許のうちの１つの特許の実施許諾者(licensor)自体ではなく、前記当事者が、前記特定の特許のうちの前記１つの特許の実施許諾者によって指定される、請求項６に記載の方法。
【請求項８】
少なくとも１つの特許が実施許諾管理者(administrator)に対して非独占的に実施許諾され、取得可能(available for procurement)な前記特許実施権のうちの１つの特許実施権が、前記実施許諾管理者に対して非独占的に実施許諾された前記少なくとも１つの特許に対する実施権を付与する、請求項１に記載の方法。
【請求項９】
少なくとも１つの特許が実施許諾管理者に対して独占的に(on an exclusive basis)実施許諾され、取得可能な前記特許実施権のうちの１つの特許実施権が、前記実施許諾管理者に対して非独占的に実施許諾された前記少なくとも１つの特許に対する実施権を付与する、請求項１に記載の方法。
【請求項１０】
前記実施許諾可能な特許のうちの少なくとも１つの特許が、バイオマーカ(biomarker)の検出に基づく診断検査または診断法の少なくとも１つの構成要素またはステップを保護する、請求項１に記載の方法。
【請求項１１】
前記バイオマーカが遺伝子(genetic)バイオマーカである、請求項１０に記載の方法。
【請求項１２】
前記実施許諾可能な特許のうちの前記少なくとも１つの特許が、分離された核酸、試薬またはキットのうちの少なくとも１つを保護する、請求項１１に記載の方法。
【請求項１３】
特許実施権を管理する方法であって、
実施権が取得可能な複数の特許を表す信号を、第１の記憶場所に記憶するステップと、
前記実施許諾可能な特許のうちの少なくとも１つの特許を指定した信号を、ネットワークインタフェースを介してユーザから受け取るステップと、
前記指定された少なくとも１つの実施許諾可能な特許に対する実施権を前記ユーザが取得する(procures)取得取引(procurement transaction)を、プロセッサを使用して処理するステップと、
前記ユーザの識別に関する情報と前記取得された実施権に関する情報とを含む前記取得取引に関係する情報を表す信号を、第２の記憶装置に記憶するステップと
を含む方法。
【請求項１４】
特許実施権を管理する方法であって、
実施権を取得することができる実施許諾可能な１つまたは複数の特許のリストを取り出すことを要求するリクエストを含む信号を、ネットワークインタフェースを介してサーバへ送信するステップと、
前記リクエストの中に指定された実施許諾可能な特許の前記リストを指示するフォーマットされた信号を、ネットワークインタフェースを介して前記サーバから受け取るステップと、
表示装置の上に、前記受取ったリストを表示するステップと、
入出力装置から、ユーザが実施権を取得したい、受け取った前記リスト上の、少なくとも１つの実施許諾可能な特許の選択を受け取るステップと、
前記選択された少なくとも１つの実施許諾可能な特許に対する実施権の取得を要求する信号を、ネットワークインタフェースを介して前記サーバへ送信するステップと
を含む方法。
【請求項１５】
特許実施権を管理する方法であって、
ゲストとしての閲覧をサポートするために、サーバと情報を通信するステップと、
検索したい(to be searched)特定の製品または特定の製品カテゴリを指定した(specifying)問合せを含む信号を、ネットワークインタフェースを介してサーバへ送信するステップと、
前記問合せの中に指定された(specified)前記製品または前記製品カテゴリに対する取得可能な(available)所定の少なくとも１つの実施権を指示するフォーマットされた信号を、ネットワークインタフェースを介して前記サーバから受け取るステップと、
表示装置の上に、前記少なくとも１つの所定の実施権の少なくとも１つの指示を表示するステップと、
前記ユーザに対する、ログインプロセスを完了することの必要性を指示する、前記サーバからの信号を受信するステップと、
前記ユーザに対する、ログインプロセスのための入力を求めるリクエストを表示するステップと、
前記ログインプロセスに対するユーザの応答を受信するステップと、
前記サーバへ前記ユーザの応答を送信するステップと、
少なくとも１つの所定の実施権を含む、少なくとも１つの、登録されたユーザにだけ許された活動をサポートするために、前記サーバと情報を通信するステップと、
入出力装置から、ユーザが取得したい(desires to procure)、少なくとも１つの所定の実施権の選択を受取るステップと、
前記選択された少なくとも１つの所定の実施権の取得を要求する信号を、ネットワークインタフェースを介して前記サーバへ送信するステップと
を含む方法。
【請求項１６】
特許実施権を管理するシステムであって、
取得可能な複数の特許実施権を表す信号を記憶する第１の記憶場所を含む少なくとも１つの記憶装置と、
前記実施権のうちの取得する少なくとも１つの実施権を指定したユーザからの信号を受け取る少なくとも１つのネットワークインタフェースと、
前記指定された少なくとも１つの実施権を前記ユーザが取得する取得取引を処理する少なくとも１つのプロセッサと
を備え、
前記少なくとも１つの記憶装置がさらに、前記ユーザの識別に関する情報と前記取得された実施権に関する情報とを含む前記取得取引に関係する情報を表す信号を記憶する第２の記憶場所を備える
システム。
【請求項１７】
前記少なくとも１つの記憶装置がさらに、特許実施権(patent licensing)を取得することができる(available)実施許諾可能な(licensable)それぞれの特許を指示する情報を記憶する第３の記憶場所を備え、
前記少なくとも１つのネットワークインタフェースがさらに、前記実施許諾可能な特許のうちの１つまたは複数の特許のリストを取り出すことを要求するリクエストを含む信号をユーザから受け取るためのものであり、
前記少なくとも１つのプロセッサがさらに、前記リクエストの中に指定された実施許諾可能な特許の前記リストを前記第３の記憶場所から取り出し、取り出した前記リストを指示する信号をフォーマットするためのものであり、
前記少なくとも１つのネットワークインタフェースがさらに、フォーマットされた前記信号を前記ユーザへ送信するためのものである、
請求項１６に記載のシステム。
【請求項１８】
前記少なくとも１つの記憶装置がさらに、特定の製品に対する前記実施許諾可能な特許の実施を許諾する所定のそれぞれの実施権を指示する情報を記憶する第３の記憶場所を備え、
前記少なくとも１つのネットワークインタフェースがさらに、検索したい特定の製品または特定の製品カテゴリを指定した問合せを含む信号をユーザから受け取るためのものであり、
前記少なくとも１つのプロセッサがさらに、前記問合せの中に指定された前記製品または前記製品カテゴリに対する取得可能な所定のそれぞれの実施権を、前記第３の記憶場所から取り出し、取り出した１つまたは複数の前記実施権を指示する信号をフォーマットするためのものであり、
前記少なくとも１つのネットワークインタフェースがさらに、フォーマットされた前記信号を前記ユーザへ送信するためのものである、
請求項１６に記載のシステム。
【請求項１９】
前記少なくとも１つの記憶装置が、取得された実施権に対する支払いに関する情報を記憶する記憶場所を備え、
実施料を少なくとも１人の当事者に分配するときに、前記少なくとも１つのプロセッサがさらに、前記取得された実施権に対する支払いに関する情報のうちの少なくとも一部である特定の特許に対する情報を取り出し、前記少なくとも１人の当事者のうちの特定の１人の当事者に分配する実施料を計算するためのものである、
請求項１６に記載のシステム。
【請求項２０】
訴訟に参加した特許権者によって所有されているある特許に関係する当事者に、実施料の一部が最初に分配されることになっている場合に、前記少なくとも１つのプロセッサが、前記ある特許に関して分配される実施料を計算するためのものであり、他の特許に関して分配される実施料は計算しない、請求項１９に記載のシステム。
【請求項２１】
前記少なくとも１つのプロセッサがさらに、前記特定の少なくとも１人の当事者に対する実施料計算書を準備するためのものであり、
前記少なくとも１つのネットワークインタフェースがさらに、前記計算に基づく実施料支払いを送金するためのものである、
請求項１９に記載のシステム。
【請求項２２】
前記当事者が、前記特許のうちの前記特定の特許のうちの１つの特許の実施許諾者ではなく、前記当事者が、前記特許のうちの前記特定の特許のうちの前記１つの特許の実施許諾者によって指定される、請求項２１に記載のシステム。
【請求項２３】
少なくとも１つの特許が実施許諾管理者に対して非独占的に実施許諾され、取得可能な前記特許実施権のうちの１つの特許実施権が、実施許諾管理者に対して実施許諾された前記少なくとも１つの特許に対する実施権を付与する、請求項１６に記載のシステム。
【請求項２４】
少なくとも１つの特許が実施許諾管理者に対して独占的に実施許諾され、取得可能な前記特許実施権のうちの１つの特許実施権が、実施許諾管理者に対して実施許諾された前記少なくとも１つの特許に対する実施権を付与する、請求項１６に記載のシステム。
【請求項２５】
前記実施許諾可能な特許のうちの少なくとも１つの特許が、バイオマーカの検出に基づく診断検査または診断法の少なくとも１つの構成要素またはステップを保護する、請求項１６に記載のシステム。
【請求項２６】
前記バイオマーカが遺伝子バイオマーカである、請求項２５に記載のシステム。
【請求項２７】
前記実施許諾可能な特許のうちの前記少なくとも１つの特許が、分離された核酸、試薬またはキットのうちの少なくとも１つを保護する、請求項２６に記載のシステム。
【請求項２８】
特許実施権を管理するシステムであって、
実施権が取得可能な複数の特許を表す信号を記憶する第１の記憶場所を備える少なくとも１つの記憶装置と、
前記実施許諾可能な特許のうちの少なくとも１つの特許を指定した信号をユーザから受け取る少なくとも１つのネットワークインタフェースと、
前記指定された少なくとも１つの実施許諾可能な特許に対する実施権を前記ユーザが取得する取得取引を処理する少なくとも１つのプロセッサと
を備え、
前記少なくとも１つの記憶装置がさらに、前記ユーザの識別に関する情報と前記取得された実施権に関する情報とを含む前記取得取引に関係する情報を表す信号を記憶する第２の記憶場所を備える
システム。
【請求項２９】
ウェブブラウザ端末として機能することが可能な端末を備える、特許実施権を管理するシステムであって、
前記端末が、
プロセッサと、
前記プロセッサと、１つ又はそれより多いバスの少なくとも１つを介して通信可能なメモリと、
前記メモリと前記プロセッサの１つと、前記バスの少なくとも１つを介して通信可能な、ネットワークインタフェースであって、当該ネットワークインターフェースが、実施権を取得することができる、実施許諾可能な１つまたは複数の特許のリストを取り出す(retrieve)ことを要求するリクエストを含む信号を、サーバに送信するために作動可能であり、前記リクエストの中に指定された実施許諾可能な特許の前記リストを指示するフォーマットされた信号を、前記サーバから受信するために作動可能なものと、
表示装置であって、前記プロセッサと前記メモリの１つから、前記バスの少なくとも１つを介して、情報が、当該表示装置と通信可能なもであって、当該表示装置が、前記受信された実施許諾可能な特許のリストを表示するために作動可能なものと、
前記メモリと前記プロセッサの１つと、前記バスの少なくとも１つを介して通信可能な、入出力装置であって、当該入出力装置が、ユーザが実施権を取得したい、受け取った前記リスト上の、少なくとも１つの実施許諾可能な特許を選択するために作動可能なものと、
を備え、
前記ネットワークインタフェースがさらに、前記選択された少なくとも１つの実施許諾可能な特許に対する実施権の取得を要求する信号を送信するために動作可能である
システム。
【請求項３０】
ウェブブラウザ端末として機能することが可能な端末を備える、特許実施権を管理するシステムであって、
前記端末が、
プロセッサと、
前記プロセッサと、１つ又はそれより多いバスの少なくとも１つを介して通信可能なメモリと、
前記メモリと前記プロセッサの１つと、前記バスの少なくとも１つを介して通信可能な、ネットワークインタフェースであって、当該ネットワークインタフェースが、検索したい特定の製品または特定の製品カテゴリを指定した問合せを含む信号を、サーバに送信するために動作可能であり、前記問合せの中に指定された前記製品または前記製品カテゴリに対する取得可能な所定のそれぞれの実施権を指示するフォーマットされた信号を前記サーバから受信するために動作可能であるものと、
表示装置であって、前記プロセッサと前記メモリの１つから、前記バスの少なくとも１つを介して、情報が、当該表示装置と通信可能なものであって、当該表示装置が、前記所定の実施権の少なくとも１つの指示を表示するために作動可能なものと、
前記メモリと前記プロセッサの１つと、前記バスの少なくとも１つを介して通信可能な、入出力装置であって、当該入出力装置が、ユーザが取得したい少なくとも１つの実施権を選択するために作動可能なものと、
を備え、
前記ネットワークインタフェースがさらに、前記選択された少なくとも１つの所定の実施権の取得を要求する信号を前記サーバへ送信するために動作可能であり、
ログインプロセスの完了前に、前記ネットワークインターフェースが、少なくとも１つの所定の実施権の、前記少なくとも１つの指示の、前記取り出しと表示を含む、ゲストとしての閲覧をサポートするための、前記サーバとの情報を通信するために動作可能であり、
前記ネットワークインターフェースが、前記サーバから、前記ユーザがログインプロセスを完了させる必要性を示す信号を取り出すために動作可能であり、
ログインプロセスに対する情報を入力するための、前記ユーザに対するリクエストを表示するために、前記ユーザがログインプロセスを完了させる必要性を示す前記信号が受信された後に、前記表示装置が動作可能であり、
前記ログインプロセスに対するユーザの応答を受信するために、前記表示されたリクエストが表示された後に、前記入力／出力装置が動作可能であり、
前記ネットワークインターフェースが、前記サーバに対する前記ユーザの応答を送信するために動作可能であり、
前記ログインプロセスが首尾よく完了した後に、少なくとも１つの登録されたユーザにだけ許された活動をサポートするために、前記ネットワークインターフェースが、前記サーバと情報を通信するために動作可能であり、当該少なくとも１つのユーザにだけ許された活動が、少なくとも所定の実施権の取得を含む、
システム。
【請求項３１】
検査を実行する方法であって、
１つまたは複数の特許に基づく１つまたは複数の実施権であり、少なくとも１種の組成物(composition of matter)の存在の有無(presence or absence)を判定するために試料を検査することに対して提供される実施権を記憶した遠隔サーバとの間で、通信ネットワークを介して信号をやり取りするステップと、
前記特許のうちの１つまたは複数の特許に基づく１つまたは複数の実施権を取得するための前記遠隔サーバとの取引を、前記通信ネットワークを介して実行するステップと
を含む方法。
【請求項３２】
試料を得るステップと、
前記少なくとも１種の組成物の存在の有無について、得られた前記試料を分析するステップと
をさらに含む、請求項３１に記載の方法。
【請求項３３】
前記組成物がバイオマーカである、請求項３１に記載の方法。
【請求項３４】
前記試料が体試料であり、前記バイオマーカが、１つの遺伝子または一群の遺伝子の突然変異、１つの遺伝子または一群の遺伝子の過剰発現(over-expression)、１つの遺伝子または一群の遺伝子の低発現(under-expression)、１つの遺伝子または一群の遺伝子のスプライスバリアント(splice variants)の選択的産生(alternative production)、遺伝子コピー数(copy number)変異体(variants)、後成的(epigenetic)核酸修飾(modifications)、一塩基(nucleotide)多型(polymorphisms)、染色体(chromosomal)再配列(rearrangements)、タンパク質、脂質、代謝産物(metabolites)、標識(labeled)化合物、薬物副生物(by-product)、細胞生理的表現型(phenotype)、器官生理的表現型、全身生理的表現型、および細胞、器官または個体(individual)の画像、ならびに上記の任意の組合せからなるグループから選択される、請求項３３に記載の方法。
【請求項３５】
前記試料が体試料であり、前記バイオマーカが、１つの遺伝子または一群の遺伝子の突然変異、１つの遺伝子または一群の遺伝子の過剰発現、１つの遺伝子または一群の遺伝子の低発現、１つの遺伝子または一群の遺伝子のスプライスバリアントの選択的産生、遺伝子コピー数変異体、後成的核酸修飾、一塩基多型、染色体再配列および上記の任意の組合せからなるグループから選択される、請求項３４に記載の方法。
【請求項３６】
請求項１４に記載の方法であって、
以下のステップ、即ち、
ゲストとしてブラウジングをサポートするために、前記サーバと情報と通信するステップと、
前記サーバから、ログインプロセスを完了させるための、前記ユーザのための必要性を示す信号を取り出すステップと、
ログインプロセスに対する情報を入力するための、前記ユーザに対する要求を表示するステップと、
前記ログインプロセスに対するユーザの応答を取り出すステップと、
前記ユーザの応答を前記サーバに送信するステップと、
前記ログインプロセスが、首尾よく完了した後に、少なくとも１つの登録されたユーザにだけ許された活動をサポートするために、情報を、前記サーバと通信するステップであって、当該少なくとも１つの登録されたユーザにだけ許された活動が、特許実施権を取得することを含むもの、
を更に含む方法。
【請求項３７】
請求項３６に記載の方法であって、前記サーバが、第１のエンティティのために動作させられ、当該方法が、更に
前記サーバに、前記選択された少なくとも１つの実施許諾可能な特許に対する実施権の取得を要求する前記信号を送信した後に、前記ネットワークインターフェースを、前記第１のエンティティとは異なる第２のエンティティのために動作されている第２のサーバに転送する信号を受信するステップと、
前記第２のサーバに支払い情報を通信することによって、前記転送信号に応答するステップと、
前記支払い情報が有効である、という認定が行われた後に、前記サーバから前記ユーザへの表示用の信号を受信するステップであって、当該サーバに対して、前記ネットワークインターフェースが、実施権の取得を要求する前記信号を送信したものであるものと、
ステップを含む方法。
【請求項３８】
請求項１４に記載の方法であって、前記サーバが、第１のエンティティのために動作し、当該方法が、更に、
前記サーバに、前記選択された少なくとも１つの実施許諾可能な特許に対する実施権の取得を要求する前記信号を送信した後に、前記ネットワークインターフェースを、前記第１のエンティティとは異なる第２のエンティティのために動作される、第２のサーバに転送する信号を受信するステップと、
支払い情報を、前記第２のサーバに通信することによって、前記転送信号に応答するステップと、
前記支払い情報が有効であるという認定が行われた後に、前記サーバから前記ユーザへの表示のための信号を受信するステップであって、当該サーバに対して、前記ネットワークインターフェースが、実施権の取得を要求する前記信号を送信したものであるものと、
を含む方法。
【請求項３９】
請求項１４に記載の方法であって、
更に、
ライセンシー、及び、ライセンシーの実施権に基づいて、製造された、販売された、及び／又は、使用された、実施許諾された製品を特定する情報を入力するステップと、
前記サーバに、ライセンシー、及び、製造された、販売された、及び／又は、使用された、実施許諾された製品を示す信号を送信するステップと、
を含む方法
【請求項４０】
請求項３９に記載の方法であって、
場所であって、当該場所において前記実施許諾された製品が、製造された、販売された、及び／又は、使用された、当該場所を入力するステップと、
前記サーバに、前記場所であって、前記場所において前記実施許諾された製品が、製造された、販売された、及び／又は、使用された、前記場所を示す信号を送信するステップと、
を含む方法。
【請求項４１】
請求項１５に記載の方法であって、前記サーバが、第１のエンティティ(entity)のために動作させられるものであって、当該方法が、更に、
前記サーバに、少なくとも１つの所定の実施権の取得(procurement)を要求する前記信号を送信した後に、前記ネットワークインターフェースを、前記第１のエンティティとは異なる第２のエンティティのために動作させられる第２のサーバに転送する(redirecting)信号を受信するステップと、
支払い情報を、前記第２のサーバと通信する(communicating)ことによって、前記転送信号に応答するステップと、
前記支払い情報が有効であるという認定が行われた後に、前記サーバから、前記ユーザへの表示のための信号を受信するステップであって、当該サーバに対し、前記ネットワークインターフェースが、少なくとも１つの所定の実施権の取得を要求する前記信号を送信したものと、
を含む方法。
【請求項４２】
請求項１５に記載の方法であって、
前記サーバが、第１のエンティティ(entity)のために動作させられるものであって、当該方法が、更に、
前記サーバに、少なくとも１つの所定の実施権の取得(procurement)を要求する前記信号を送信した後に、前記ネットワークインターフェースを、前記第１のエンティティとは異なる第２のエンティティのために動作させられる第２のサーバに転送する(redirecting)信号を受信するステップと、
支払い情報を、前記第２のサーバと通信する(communicating)ことによって、前記転送信号に応答するステップと、
前記支払い情報が有効であるという認定が行われた後に、前記サーバから、前記ユーザへの表示のための信号を受信するステップであって、当該サーバに対し、前記ネットワークインターフェースが、少なくとも１つの所定の実施権の取得を要求する前記信号を送信したものと、
を含む方法。
【請求項４３】
請求項１５に記載の方法であって、
更に、
ライセンシー、及び、ライセンシーの実施権に基づいて、製造された、販売された、及び／又は、使用された、実施許諾された製品を特定する情報を入力するステップと、
前記サーバに、ライセンシー、及び、製造された、販売された、及び／又は、使用された、実施許諾された製品を示す信号を送信するステップと、
を含む方法
【請求項４４】
請求項４３に記載の方法であって、
場所であって、当該場所において前記実施許諾された製品が、製造された、販売された、及び／又は、使用された、当該場所を入力するステップと、
前記サーバに、前記場所であって、前記場所において前記実施許諾された製品が、製造された、販売された、及び／又は、使用された、前記場所を示す信号を送信するステップと、
を含む方法。
【請求項４５】
請求項２９に記載のシステムであって、
少なくとも、前記サーバに対するログインプロセスが完了していないときに、前記ネットワークインターフェースが、ゲストとしてブラウジングをサポートするために、前記サーバと、情報を通信するために動作可能であり、当該情報が、実施権が利用可能である、１つ又はそれより多い実施許諾可能な特許の前記リストの取り出し(retrieving)、及び、表示を含み、
前記ネットワークインターフェースが、前記サーバから、前記ユーザに対する、ログインプロセスを完了する必要性を示す信号を受信するために動作可能であり、
前記表示装置が、ユーザがログインプロセスを完了することに対する必要性を示す前記信号が受信されたときに、ユーザに対する、ログインプロセスに対する情報を入力するための要求を表示するために、動作可能であり、
前記ログインプロセスに対するユーザの応答を受信するために、前記表示された要求が表示されたときに、前記入力／出力装置が動作可能であり、
前記ネットワークインターフェースが、前記ユーザの応答を、前記サーバに送信するために動作可能であり、
前記ネットワークインターフェースが、前記ログインプロセスが、首尾よく完了された後に、少なくとも１つの登録されたユーザにだけ許された活動をサポートするために、前記サーバと情報を通信するために動作可能であり、前記少なくとも１つの登録されたユーザにだけ許された活動が、特許の実施権を取得することを含む、
システム。
【請求項４６】
請求項４５に記載のシステムであって、前記サーバが、第１のエンティティのために動作させられるものであり、
前記選択された少なくとも１つの実施許諾可能な特許に対する実施権の取得を要求している前記サーバへの、前記信号の送信後に、前記ネットワークインターフェースが、前記ネットワークインターフェースを、前記第１のエンティティとは異なる第２のエンティティのために動作させられる第２のサーバに転送させる(redirecting)信号を受信するために動作可能であり、
前記ネットワークインターフェースが、支払い情報を、前記第２のサーバと通信することによって、前記転送信号に応答するために動作可能であり、
前記支払い情報が有効である場合に、前記ネットワークインターフェースが、前記ユーザに表示するための信号を、前記サーバから受信するために動作可能であり、当該サーバに対して、前記ネットワークインターフェースが、実施権の取得を要求する前記信号を送信したものであり、
前記支払い情報が有効であるという認定が行われた後に、前記ネットワークインターフェースが、ユーザに表示するための信号を、前記サーバから受信するために動作可能であり、前記サーバに対して、前記ネットワークインターフェースが、実施権の取得を要求する前記信号を送信したものである、
システム。
【請求項４７】
請求項２９に記載のシステムであって、前記サーバが、第１のエンティティのために動作させられるものであり、
前記選択された少なくとも１つの実施許諾可能な特許に対する実施権の取得を要求している前記サーバへの、前記信号の送信後に、前記ネットワークインターフェースが、前記ネットワークインターフェースを、前記第１のエンティティとは異なる第２のエンティティのために動作させられる第２のサーバに転送させる(redirecting)信号を受信するために動作可能であり、
前記ネットワークインターフェースが、支払い情報を、前記第２のサーバと通信することによって、前記転送信号に応答するために動作可能であり、
前記支払い情報が有効である場合に、前記ネットワークインターフェースが、前記ユーザに表示するための信号を、前記サーバから受信するために動作可能であり、当該サーバに対して、前記ネットワークインターフェースが、実施権の取得を要求する前記信号を送信したものであり、
前記支払い情報が有効であるという認定が行われた後に、前記ネットワークインターフェースが、ユーザに表示するための信号を、前記サーバから受信するために動作可能であり、前記サーバに対して、前記ネットワークインターフェースが、実施権の取得を要求する前記信号を送信したものである、
システム。
【請求項４８】
請求項２９に記載のシステムであって、
前記入力／出力装置が、実施権、及び、ライセンシーの実施権の下で、製造された、販売された、及び／又は、使用された、実施許諾された製品を特定する情報を入力するために動作可能であり、
前記ネットワークインターフェースが、ライセンシー、及び、製造された、販売された、及び／又は、使用された、実施許諾された製品を示す信号を前記サーバに送信するために動作可能である、
システム。
【請求項４９】
請求項４８に記載のシステムであって、
前記入力／出力装置が、更に、場所であって、当該場所において前記実施許諾された製品が、製造された、販売された、及び／又は、使用された、当該場所を入力するために動作可能であり、
前記ネットワークインターフェースが、更に、前記サーバに、実施許諾された製品が、製造された、販売された、及び／又は、使用された、場所を示す信号を送信するために動作可能である、
システム。
【請求項５０】
請求項３０に記載のシステムであって、前記サーバが、第１のエンティティのために動作させられるものであり、
前記少なくとも１つの所定の実施権の取得を要求している前記サーバへの、前記信号の送信後に、前記ネットワークインターフェースが、前記ネットワークインターフェースを、前記第１のエンティティとは異なる第２のエンティティのために動作させられる第２のサーバに転送させる(redirecting)信号を受信するために動作可能であり、
前記ネットワークインターフェースが、支払い情報を、前記第２のサーバと通信することによって、前記転送信号に応答するために動作可能であり、
前記支払い情報が有効である場合に、前記ネットワークインターフェースが、前記ユーザに表示するための信号を、前記サーバから受信するために動作可能であり、当該サーバに対して、前記ネットワークインターフェースが、実施権の取得を要求する前記信号を送信したものであり、
前記支払い情報が有効であるという認定が行われた後に、前記ネットワークインターフェースが、ユーザに表示するための信号を、前記サーバから受信するために動作可能であり、前記サーバに対して、前記ネットワークインターフェースが、前記少なくとも１つの所定の実施権の取得を要求する前記信号を送信したものである、
システム。
【請求項５１】
請求項３０に記載のシステムであって、前記サーバが、第１のエンティティのために動作させられるものであり、
前記少なくとも１つの所定の実施権の取得を要求している前記サーバへの、前記信号の送信後に、前記ネットワークインターフェースが、前記ネットワークインターフェースを、前記第１のエンティティとは異なる第２のエンティティのために動作させられる第２のサーバに転送させる(redirecting)信号を受信するために動作可能であり、
前記ネットワークインターフェースが、支払い情報を、前記第２のサーバと通信することによって、前記転送信号に応答するために動作可能であり、
前記支払い情報が有効である場合に、前記ネットワークインターフェースが、前記ユーザに表示するための信号を、前記サーバから受信するために動作可能であり、当該サーバに対して、前記ネットワークインターフェースが、実施権の取得を要求する前記信号を送信したものであり、
前記支払い情報が有効であるという認定が行われた後に、前記ネットワークインターフェースが、ユーザに表示するための信号を、前記サーバから受信するために動作可能であり、前記サーバに対して、前記ネットワークインターフェースが、前記少なくとも１つの所定の実施権の取得を要求する前記信号を送信したものである、
システム。
【請求項５２】
請求項３０に記載のシステムであって、
前記入力／出力装置が、実施権、及び、ライセンシーの実施権の下で、製造された、販売された、及び／又は、使用された、実施許諾された製品を特定する情報を入力するために動作可能であり、
前記ネットワークインターフェースが、ライセンシー、及び、製造された、販売された、及び／又は、使用された、実施許諾された製品を示す信号を前記サーバに送信するために動作可能である、
システム。
【請求項５３】
請求項５２に記載のシステムであって、
前記入力／出力装置が、更に、場所であって、当該場所において前記実施許諾された製品が、製造された、販売された、及び／又は、使用された、当該場所を入力するために動作可能であり、
前記ネットワークインターフェースが、更に、前記サーバに、実施許諾された製品が、製造された、販売された、及び／又は、使用された、場所を示す信号を送信するために動作可能である、
システム。